(57)【要約】【課題】  ユーザの意図に反するサイズの記録紙に原稿画像が印刷される事態を回避する。【解決手段】  最適サイズモードが設定されている状態において、記録紙選定部２５により選定された記録紙のサイズが原稿サイズ検出部２４により検出された原稿のサイズと相違する場合、表示制御部２６は、最適サイズモード、或いは原稿同一サイズモードのいずれかのモードをユーザに選択させるための操作画像を表示部１３に表示させる。【選択図】      図２
2006071745.tif 000002
【特許請求の範囲】
【請求項１】
原稿載置部に載置された原稿を読み取って原稿画像を取得する原稿画像取得手段と、原稿のサイズを検出するサイズ検出手段と、ユーザにより指定された倍率に従って原稿画像のサイズを変更するサイズ変更手段とを備える画像形成装置であって、
前記サイズ変更手段によりサイズが変更された原稿画像を当該原稿画像のサイズに適合する記録紙に印刷させる自動サイズモードと、前記サイズ変更手段によりサイズが変更された原稿画像を原稿のサイズと同一サイズの記録紙に印刷させる原稿同一サイズモードとのいずれかを当該画像形成装置の動作モードとして設定するモード設定手段と、
前記自動サイズモードが設定されている場合、前記サイズ変更手段によりサイズが変更された原稿画像に適合するサイズの記録紙を、原稿画像を印刷する記録紙として選定し、前記原稿同一サイズモードが設定されている場合、前記サイズ検出手段により検出された原稿のサイズと同一サイズの記録紙を、原稿画像を印刷する記録紙として選定する記録紙選定手段と、
原稿画像を前記記録紙選定手段により選定された記録紙に印刷する印刷手段とを備え、
前記記録紙選定手段は、前記モード設定手段により自動サイズモードが設定されている場合、選定した記録紙のサイズが前記原稿サイズ検出手段により検出されたサイズと相違するか否かを判定し、
前記モード設定手段は、前記記録紙選定手段により相違すると判定された場合、前記原稿同一サイズモードと、前記自動サイズモードとのいずれかの動作モードを選択するようにユーザに促し、ユーザにより選択された動作モードを当該画像形成装置の動作モードとして設定することを特徴とする画像形成装置。
【請求項２】
前記動作モード設定手段は、ユーザに動作モードの選択を促すに際して、前記記録紙選定手段により選定された記録紙のサイズをユーザに提示することを特徴とする請求項１記載の画像形成装置。
【請求項３】
前記モード設定手段は、前記原稿同一サイズモードを選択させるためのボタンと、前記自動サイズモードを選択させるためのボタンとが表示された操作画像をタッチパネルに表示することで、ユーザに動作モードの選択を促すことを特徴とする請求項１又は２記載の画像形成装置。
【請求項４】
前記モード設定手段は、原稿同一サイズモードを設定している場合、前記サイズ検出手段により原稿のサイズが検出される前に、前記サイズ変更手段により原稿画像の倍率が設定されても、動作モードを変更しないことを特徴とする請求項１〜３のいずれかに記載の画像形成装置。
【発明の詳細な説明】
【技術分野】
【０００１】
本発明は、スキャナにより読み取られた原稿画像を記録紙に印刷する画像形成装置に関するものである。
【背景技術】
【０００２】
近年、ユーザにより指定された倍率に応じて適合するサイズの記録紙を選定し、選定した記録紙に原稿画像を印刷する最適サイズモード（変倍ＡＰＳモード）、ユーザにより指定された倍率に関わらず、原稿と同一サイズの記録紙に原稿画像を印刷する原稿同一サイズモード、及び倍率と出力する記録紙のサイズとをユーザに指定させるマニュアルモード等、種々の動作モードを備える画像形成装置が知られている。
【０００３】
なお、最適サイズモードに関する技術として、原稿のサイズに合致する用紙を収納するカセットを選択し、選択したカセットに用紙がセットされていない場合、コピー禁止状態とし、選択したカセットに用紙がセットされたときコピー禁止状態を解除する特許文献１の発明及び原稿のサイズに合致する用紙が存在しない場合、原稿のサイズを表示してコピー動作を中断させ、原稿のサイズに合致する用紙がセットされたとき、コピー動作を再開する特許文献２の発明が知られている。
【特許文献１】特開平６−２９２６６号公報
【特許文献２】特開平１−１６１２６５号公報
【発明の開示】
【発明が解決しようとする課題】
【０００４】
しかしながら、従来の画像形成装置では、最適サイズモードが設定されている場合、ユーザが指定した倍率によっては原稿のサイズとは異なるサイズの記録紙に原稿画像が印刷されることもある。そのため、ユーザは、最適サイズモードが設定されているにもかかわらず、原稿同一サイズモードが設定されていると認識しているようなとき、ユーザの意図に反するサイズの記録紙に原稿画像が印刷されてしまうという問題があった。また、この場合、ユーザは動作モードを原稿同一サイズモードに設定し直して、再度コピー作業を行う必要もあり、ユーザに対する操作負担が増大することに加えて、記録紙が無駄に消費されてしまうという問題もあった。
【０００５】
本発明の目的は、ユーザの意図に反するサイズの記録紙に原稿画像が印刷される事態を回避することができる画像形成装置を提供することである。
【課題を解決するための手段】
【０００６】
本発明にかかる画像形成装置は、原稿載置部に載置された原稿を読み取って原稿画像を取得する原稿画像取得手段と、原稿のサイズを検出するサイズ検出手段と、ユーザにより指定された倍率に従って原稿画像のサイズを変更するサイズ変更手段とを備える画像形成装置であって、前記サイズ変更手段によりサイズが変更された原稿画像を当該原稿画像のサイズに適合する記録紙に印刷させる自動サイズモードと、前記サイズ変更手段によりサイズが変更された原稿画像を原稿のサイズと同一サイズの記録紙に印刷させる原稿同一サイズモードとのいずれかを当該画像形成装置の動作モードとして設定するモード設定手段と、前記自動サイズモードが設定されている場合、前記サイズ変更手段によりサイズが変更された原稿画像に適合するサイズの記録紙を、原稿画像を印刷する記録紙として選定し、前記原稿同一サイズモードが設定されている場合、前記サイズ検出手段により検出された原稿のサイズと同一サイズの記録紙を、原稿画像を印刷する記録紙として選定する記録紙選定手段と、原稿画像を前記記録紙選定手段により選定された記録紙に印刷する印刷手段とを備え、前記記録紙選定手段は、前記モード設定手段により自動サイズモードが設定されている場合、選定した記録紙のサイズが前記原稿サイズ検出手段により検出されたサイズと相違するか否かを判定し、前記モード設定手段は、前記記録紙選定手段により相違すると判定された場合、前記原稿同一サイズモードと、前記自動サイズモードとのいずれかの動作モードを選択するようにユーザに促し、ユーザにより選択された動作モードを当該画像形成装置の動作モードとして設定することを特徴とする。
【０００７】
また、上記構成において、前記動作モード設定手段は、ユーザに動作モードの選択を促すに際して、前記記録紙選定手段により選定された記録紙のサイズをユーザに提示することが好ましい。
【０００８】
また、上記構成において、前記モード設定手段は、前記原稿同一サイズモードを選択させるためのボタンと、前記自動サイズモードを選択させるためのボタンとが表示された操作画像をタッチパネルに表示することで、ユーザに動作モードの選択を促すことが好ましい。
【０００９】
また、上記構成において、前記モード設定手段は、原稿同一サイズモードを設定している場合、前記サイズ検出手段により原稿のサイズが検出される前に、前記サイズ変更手段により原稿画像の倍率が設定されても、動作モードを変更しないことが好ましい。
【発明の効果】
【００１０】
請求項１記載の発明によれば、自動（最適）サイズモードが設定されている状態において、原稿とはサイズの異なる記録紙が、原稿画像を印刷する記録紙として選定された場合、自動サイズモード、或いは原稿同一サイズモードのいずれかの動作モードを選択するようにユーザに促し、ユーザにより選択された動作モードが当該画像形成装置の動作モードとして設定されるため、ユーザは、現在設定されている動作モードを確実に把握することが可能となり、ユーザが意図しないサイズの記録紙に原稿画像が印刷される事態を回避することができる。その結果、ユーザは、再度コピー作業を行う必要が無くなり、操作負担が低減することに加え、記録紙の無駄な消費を防止することができる。
【００１１】
請求項２記載の発明によれば、ユーザに動作モードの選択を促すに際して、記録紙選定手段により選定された記録紙のサイズがユーザに提示されるため、ユーザは動作モードを選択する際の判断材料が増す結果、動作モードの選択が平易化することとなる。
【００１２】
請求項３記載の発明によれば、操作画像に表示された原稿同一サイズモードを選択するためのボタンと、最適サイズサイズモードを選択するためのボタンとを押すことにより、動作モードを設定することができるため、動作モードの設定を容易に行うことができる。
【００１３】
請求項４記載の発明によれば、原稿同一サイズモードが設定されている状態において、ユーザは、原稿を載置する前に、原稿画像の倍率を指定する操作を行う等して、サイズ検出手段により原稿のサイズが検出される前に、サイズ変更手段により原稿画像の倍率が設定された場合であっても、従来の原稿同一サイズモードのように、動作モードがマニュアルモードに移行されないため、ユーザは倍率を指定する操作に引き続き、記録紙のサイズを指定するための操作を行う必要がなくなり、ユーザに対する操作負担が軽減することとなる。
【発明を実施するための最良の形態】
【００１４】
以下、図面を参照しつつ本発明の実施形態について説明する。図１は、本実施形態による画像形成装置の機械的構成を主に示す側面概略図である。本画像形成装置は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００１５】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００１６】
原稿給送部６００は、原稿載置部６０１、原稿排出部６０２、給紙ローラ６０３及び原稿搬送部６０４、コンタクトガラス６０５、及び原稿検出センサ６０６、６０７等を備え、原稿読み取り部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。また、スキャナ５０１は、コンタクトガラス６０５に載置された原稿を読み取る場合は、Ａ方向にスライドして原稿を読み取る。原稿検出センサ６０６は、記録紙の幅方向（紙面と直交する方向）に一定の間隔を設け複数個配列されている。原稿検出センサ６０７は、コンタクトガラス６０５の裏面に複数個配列されている。
【００１７】
本体部２００は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、排出トレイ２１０、記録紙搬送部２１１、残量検出センサ２１２等を備える。本実施形態では、給紙カセット２０１は、それぞれ、異なるサイズの記録紙を収納する。残量検出センサ２１２は、各給紙カセット２０１に配設され、給紙カセット２０１に収納された記録紙の存在の有無を検出する。
【００１８】
感光体ドラム２０５は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー像を形成する。
【００１９】
中間転写体ローラ２０４は、感光体ドラム２０５から各色のトナー像が転写され、中間転写体ローラ２０４上にカラーのトナー像が形成される。
【００２０】
一方、給紙ローラ２０２は、記録紙が収納された給紙カセット２０１から記録紙を引き出し、記録紙搬送部２１１は、引き出された記録紙を転写ローラ２０３へと搬送する。転写ローラ２０３は、搬送された記録紙に中間転写体ローラ２０４上のトナー像を転写させる。トナー像が転写された記録紙は、記録紙搬送部２１１により定着ローラ２０８へと搬送され、定着ローラ２０８は、転写されたトナー像を加熱して記録紙に定着させる。その後、記録紙は、記録紙搬送部２１１により排出口２０９へと搬送され用紙後処理部３００に搬入される。また、記録紙は、必要に応じて排出トレイ２１０へも排出される。
【００２１】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２２】
図２は、図１に示す画像形成装置の電気的構成を示すブロック図である。本画像形成装置は、原稿画像取得部１１、操作画像記憶部１２、表示部１３、操作部１４、印刷部１５、及び制御部２０を備えている。原稿画像取得部１１は、図１に示す原稿読み取り部５００から構成され、原稿載置部６０１又はコンタクトガラス６０５に載置された原稿の画像を読み取り、原稿画像を取得する。
【００２３】
操作画像記憶部１２は、ユーザが本画像形成装置を操作する際に表示部１３に表示される種々の操作画像を記憶している。表示部１３は、図１に示すタッチパネル４０１から構成される。操作部１４は、図１に示す操作部４００から構成され、本画像形成装置の動作モードを指定する操作指令、原稿画像の倍率を指定する操作指令、原稿画像を印刷する記録紙のサイズを指定する操作指令等を受け付ける。
【００２４】
制御部２０は、ＣＰＵ、制御プログラムを記憶するＲＯＭ、ＣＰＵの作業領域として使用されるＲＡＭ等から構成され、ＣＰＵが制御プログラムを実行することにより、モード設定部２１、倍率設定部２２、原稿サイズ変更部２３、原稿サイズ検出部２４、記録紙選定部２５、表示制御部２６、及び印刷制御部２７として機能する。なお、図２に示すブロック図は、本発明に関係するもののみを表示しており、本発明とは関係ないものは省略している。
【００２５】
モード設定部２１は、操作部１４により受け付けられた動作モードを指定するためのユーザからの操作指令に基づいて、本画像形成装置の動作モードを設定する。本画像形成装置は、最適サイズモード（請求項の自動サイズモードに相当する）、原稿同一サイズモード、原稿倍率変動モード、及びマニュアルモードの４種類の動作モードを備えている。
【００２６】
最適サイズモードは、ユーザにより指定された倍率に応じて、適合するサイズの記録紙を選定し、選定した記録紙に原稿画像を印刷するモードである。原稿同一サイズモードは、ユーザにより指定された倍率に関わらず、原稿と同一サイズの記録紙に原稿画像を印刷するモードである。原稿倍率変動モードは、原稿のサイズとユーザにより指定された記録紙のサイズとから適切な原稿画像の倍率を設定するモードである。マニュアルモードは、原稿画像の倍率及び記録紙のサイズをユーザが指定するモードである。
【００２７】
なお、従来の画像形成装置の原稿同一サイズモードは、原稿のサイズを検出する前に、ユーザにより原稿画像の倍率が設定されると、動作モードがマニュアルモードに移行されていたが、本画像形成装置の原稿同一サイズモードは、原稿のサイズを検出する前に、ユーザにより原稿画像の倍率が設定されても、動作モードがマニュアルモードに移行されない。
【００２８】
また、モード設定部２１は、最適サイズモードを設定している状態において、記録紙選定部２５により、記録紙選定部２５が選定した記録紙が原稿サイズ検出部２４により検出された原稿のサイズと異なるとの通知を受け付けた場合、最適サイズモード及び原稿同一サイズモードのいずれかの動作モードをユーザに選択させるための操作画像を表示部１３に表示させるための指令を表示制御部２６に出力する。
【００２９】
倍率設定部２２は、操作部１４を介してユーザにより入力された原稿画像の倍率を指定する操作指令に基づいて、原稿画像の倍率を設定する。最適サイズモード、原稿同一サイズモード、及びマニュアルモードが設定されている場合、原稿サイズ変更部２３は、倍率設定部２２により設定された原稿画像の倍率にしたがって、原稿画像取得部１１により取得された原稿画像のサイズを変更する。
【００３０】
また、倍率変動モードが設定されている場合、原稿サイズ変更部２３は、記録紙選定部２５により選定されたサイズの記録紙（ユーザにより指定されたサイズの記録紙）の余白領域が最小となるように原稿画像の倍率を設定する。
【００３１】
原稿サイズ検出部２４は、コピー対象となる原稿が原稿載置部６０１に載置されている場合、原稿検出センサ６０６が記録紙の先端を検出してから終端を検出するまでの時間を測定し、測定した時間に予め定められた原稿搬送速度を乗じて原稿の搬送方向のサイズを算出し、算出した搬送方向のサイズと、記録紙の幅方向に配列された複数の原稿検出センサ６０６のうち、原稿を検出した原稿検出センサ６０６の検出パターンとから、原稿がＡ３、Ａ４、Ｂ３等の定形サイズのうち、どの定形サイズに該当するかを判定し、原稿のサイズを検出する。
【００３２】
また、原稿がコンタクトガラス６０５に載置されている場合、原稿サイズ検出部２４は、コンタクトガラス６０５の裏面に配列された複数の原稿検出センサ６０７のうち、原稿を検出した原稿検出センサ６０７の検出パターンから原稿のサイズを検出する。
【００３３】
記録紙選定部２５は、モード設定部２１が現在設定している動作モードに応じて、原稿画像を印刷する記録紙のサイズを選定し、選定したサイズの記録紙が印刷部１５に搬送されるように給紙ローラ２０２を制御する。最適サイズモードが設定されている場合、記録紙選定部２５は、原稿サイズ変更部２３によりサイズが変更された原稿画像に対し、記録紙の余白部分の面積が最小となるサイズの記録紙を、原稿画像を印刷する記録紙として選定する。また、最適サイズモードが設定されている場合、記録紙選定部２５は、選定した記録紙が原稿サイズ検出部２４により検出された原稿のサイズと相違するか否かを判定し、相違すると判定したとき、相違することをモード設定部２１に通知する。
【００３４】
一方、原稿同一サイズモードが設定されている場合、記録紙選定部２５は、原稿サイズ検出部２４により検出された原稿のサイズと同一サイズの記録紙を、原稿画像を印刷する記録紙として選定する。
【００３５】
また、倍率変動モード及びマニュアルモードが設定されている場合、記録紙選定部２５は、操作部１４を介してユーザにより指定されたサイズの記録紙を、原稿画像を印刷する記録紙として設定する。
【００３６】
表示制御部２６は、操作画像記憶部１２に記憶されている種々の操作画像を読み出し表示部１３に表示させる。また、表示制御部２６は、モード設定部２１がユーザからの動作モードを指定するための操作指令を受け付ける際、ユーザに動作モードを指定させるための操作画像を操作画像記憶部１２から読み出し、表示部１３に表示させる。印刷制御部２７は、原稿サイズ変更部２３によりサイズが変更された原稿画像が記録紙に印刷されるように印刷部１５を制御する。
【００３７】
本実施形態では、原稿検出センサ６０６，６０７及び原稿サイズ検出部２４がサイズ検出手段に相当し、操作部１４、倍率設定部２２及び原稿サイズ変更部２３がサイズ変更手段に相当し、モード設定部２１、表示制御部２６、表示部１３、及び操作部１４がモード設定手段に相当し、記録紙選定部２５が記録紙選定手段に相当し、印刷制御部２７及び印刷部１５が印刷手段に相当し、表示部１３及び表示制御部２６が表示手段及び報知手段に相当する。
【００３８】
図３〜図５は、本画像形成装置の動作を説明するためのフローチャートである。以下、図３〜図５に示すフローチャートに従って、本画像形成装置の動作について説明する。まず、ステップＳ１において、表示制御部２６は、操作画像記憶部１２に予め記憶されている動作モードを設定するための操作画像を読み出し、表示部１３に表示させる。図６は、ユーザが動作モードを指定する際に表示制御部２６が表示部１３に表示する操作画像の一例を示した図面であり、ステップＳ１では、図６に示すような操作画像が表示される。
【００３９】
ステップＳ２において、操作部１４が、ユーザにより動作モードを設定するための操作指令を受け付けた場合（ステップＳ２でＹＥＳ）、モード設定部２１は、操作指令が示す動作モードに、本画像形成装置の動作モードを設定する。図６に示す操作画像の左から２列目の最上段に表示された「自動用紙最適サイズ」ボタンがユーザにより押されると、モード設定部２１は、本画像形成装置の動作モードを最適サイズモードに設定する。また、「自動用紙最適サイズ」ボタンの下段に表示された「自動用紙原稿サイズ」ボタンがユーザにより押されると、モード設定部２１は、本画像形成装置の動作モードを原稿同一サイズモードに設定する。
【００４０】
さらに、「自動用紙原稿サイズ」ボタンの下段に表示された「サイズ指定」ボタンがユーザにより押されると、モード設定部２１は、本画像形成装置の動作モードを「倍率変動モード」に設定する。さらに、「サイズ指定」ボタンの下段に表示された「マニュアル」ボタンがユーザにより押されると、モード設定部２１は、本画像形成装置の動作モードをマニュアルモードに設定する。
【００４１】
一方、ステップＳ２において、操作部１４がユーザからの動作モードを指定するための操作指令を受け付けなかった場合（Ｓ２でＮＯ）、処理がステップＳ４に進められる。この場合、デフォルトの動作モード、或いは前回設定されていた動作モードが動作モードとして設定される。
【００４２】
ステップＳ４において、操作部１４がユーザからの原稿画像の倍率を指定する操作指令を受け付けた場合（Ｓ４でＹＥＳ）、倍率設定部２２は、操作指令が示す倍率を原稿画像の倍率として設定する（Ｓ５）。ここで、ユーザは、図６に示す操作画面において、左から３列目の一番上に表示された倍率指定欄に、テンキー４０３を用いて数値を入力することにより、原稿画像の倍率を指定する。
【００４３】
一方、ステップＳ４において、操作部１４がユーザからの原稿画像の倍率を指定するための操作指令を受け付けなかった場合（Ｓ４でＮＯ）、処理がステップＳ６に進められる。この場合、倍率は、１倍（１００％）が設定される。
【００４４】
ステップＳ６において、ユーザにより原稿載置部６０１、或いはコンタクトガラス６０５に原稿が載置され、原稿サイズ検出部２４が、載置された原稿のサイズを検出した場合（Ｓ６でＹＥＳ）、原稿画像取得部１１は、載置された原稿を光学的に読み取り原稿画像を取得する（Ｓ７）。一方、ユーザにより原稿載置部６０１、或いはコンタクトガラス６０５に原稿が載置されず、原稿サイズ検出部２４が、原稿のサイズを検出しなかった場合（Ｓ６でＮＯ）、処理がステップＳ６に戻される。
【００４５】
ステップＳ８において、倍率設定部２２は、原稿画像取得部１１により取得された原稿画像のサイズを、倍率設定部２２により設定された倍率で変更する。ステップＳ９において、最適サイズモードが設定されている場合（Ｓ９でＹＥＳ）、記録紙選定部２５は、サイズが変更された原稿画像に適合するサイズの記録紙を、原稿画像を印刷する記録紙として選定する（Ｓ１０）。ここで、記録紙選定部２５は、給紙カセット２０１に収納された記録紙の中から、サイズが変更された原稿画像の余白領域の面積が最小となるサイズの記録紙を、原稿画像を印刷する記録紙として選定する。
【００４６】
一方、ステップＳ９において、最適サイズモード以外の動作モードが設定されている場合（Ｓ９でＮＯ）、本フローチャートの処理は終了される。この場合、本画像形成装置は、動作モードに応じた処理を実行するが、本発明に関係するものではないため、ここでは説明を省略する。
【００４７】
ステップＳ１１において、記録紙選定部２５が、選定した記録紙のサイズが、原稿サイズ検出部２４により検出された原稿のサイズと相違するか否かを判定し、相違すると判定した場合（Ｓ１１でＹＥＳ）、表示制御部２６は、最適サイズモード及び原稿同一サイズモードのいずれかの動作モードをユーザに選択させるための操作画像を操作画像記憶部１２から読み出し、表示部１３に表示させる（Ｓ１２）。
【００４８】
ステップＳ１１において、記録紙選定部２５が、選定した記録紙のサイズが、原稿サイズ検出部２４により検出された原稿のサイズと相違すると判定した場合（Ｓ１１でＮＯ）、処理がステップＳ１８に進められる。
【００４９】
図７は、ステップＳ１２において表示部１３に表示される操作画像の一例を示した図面である。図７に示すように、この操作画像には、動作モードを原稿同一サイズモードに設定するための「原稿同一サイズ」ボタンと、動作モードを最適サイズモードに設定するための「最適サイズ」ボタンとが表示されている。
【００５０】
ステップＳ１３において、操作部１４が最適サイズモード又は原稿同一サイズモードの動作モードを指定するためのユーザからの操作指令を受け付けた場合（Ｓ１３でＹＥＳ）、モード設定部２１は、ユーザにより指定された動作モードを本画像形成装置の動作モードとして設定する（Ｓ１４）。この場合、操作部１４は、図７に示す「原稿同一サイズ」ボタンがユーザにより押された場合、動作モードを原稿同一サイズモードに指定する操作指令を受け付け、「最適サイズ」ボタンがユーザにより押された場合、動作モードを最適サイズモードに指定する操作指令を受け付ける。一方、ステップＳ１３において、操作部１４が、動作モードを指定するためのユーザからの操作指令を受け付けなかった場合（Ｓ１３でＮＯ）、処理がステップＳ１３に戻される。
【００５１】
ステップＳ１５において、動作モードが原稿同一サイズモードに設定されている場合（Ｓ１５でＹＥＳ）、記録紙選定部２５は、原稿サイズ検出部２４により検出された原稿のサイズと同一サイズの記録紙を、原稿画像を印刷する記録紙として選定し（Ｓ１６）、動作モードが最適サイズモードに設定されている場合（Ｓ１５でＮＯ）、記録紙選定部２５は、ステップＳ１０で選定したサイズの記録紙を、原稿画像を印刷する記録紙として選定する（Ｓ１７）。
【００５２】
ステップＳ１８において、記録紙選定部２５は、ステップＳ１６、Ｓ１７において選定した記録紙と同一サイズの記録紙が存在するか否かを残量検出センサ２１２の検出信号から判定し、存在すると判定した場合（Ｓ１８でＹＥＳ）、記録紙選定部２５は、選定したサイズの記録紙に対応する給紙ローラ２０２を駆動させ、選定した記録紙を印刷部１５に搬送し（Ｓ１９）、印刷制御部２７は、原稿サイズ変更部２３によりサイズが変更された原稿画像が、記録紙選定部２５により選定された記録紙に印刷されるように印刷部１５を制御する（Ｓ２０）。
【００５３】
ステップＳ１８において、記録紙選定部２５が、選定した記録紙と同一サイズの記録紙が存在しないと判定した場合（Ｓ１８でＮＯ）、表示制御部２６は、記録紙選定部２５により選定された記録紙と同一サイズの記録紙が存在しないことをユーザに提示するための操作画像を操作画像記憶部１２から読み出し、表示部１３に表示させる（Ｓ２１）。この操作画像には、印刷を行うか否かのユーザからの操作指令を受け付けるための操作ボタンが表示されている。
【００５４】
ステップＳ２２において、操作部１４が、ユーザから印刷を許可する操作指令を受け付けた場合（Ｓ２２でＹＥＳ）、記録紙選定部２５は、選定した記録紙のサイズに最も近いサイズの記録紙を、原稿画像を印刷する記録紙として選定する（Ｓ２３）。例えば、記録紙選定部２５は、最初に選定した記録紙に対して面積が最も近いサイズの記録紙を、原稿画像を印刷する記録紙として選定する。具体的には、Ａ４、Ｂ４等の各々のサイズに対して、面積が近い順に、１又は複数の記録紙のサイズが記載された選定テーブルをＲＯＭ等の記憶装置に予め記憶させておき、この選定テーブルを参照することにより、記録紙を選定すればよい。
【００５５】
なお、記録紙選定部２５は、最初に選定した記録紙よりも面積が大きく、かつ、面積が最も近いサイズの記録紙を、原稿画像を印刷する記録紙として選定しても良い。これにより、原稿同一サイズモード、或いはマニュアルモードが設定されている場合において、サイズが変更された原稿画像が記録紙からはみ出してしまう領域をより少なくすることができる。一方、ステップＳ２２において、操作部１４が、ユーザから印刷を許可しない操作指令を受け付けた場合（Ｓ２２でＮＯ）、処理が終了される。
【００５６】
ステップＳ２３の処理が終了されると、引き続いてステップＳ１９及びＳ２０の処理が実行され、記録紙選定部２５により選定された記録紙に、原稿サイズ変更部２３によりサイズが変更された原稿画像が印刷され、処理が終了される。
【００５７】
以上説明したように、本画像形成装置によれば、最適サイズモードが設定されている状態において、記録紙選定部２５により原稿とはサイズの異なる記録紙が、原稿画像を印刷する記録紙として選定された場合、表示部１３には、最適サイズモード、或いは原稿同一サイズモードのいずれかの動作モードをユーザに選択させるための操作画像が表示され、モード設定部２１は、ユーザにより指定された動作モードに本画像形成装置の動作モードを設定するため、ユーザは、現在設定されている動作モードを確実に把握することが可能となり、ユーザが意図しないサイズの記録紙に原稿画像が印刷される事態を回避することができる。
【００５８】
また、記録紙選定部２５が最初に選定した記録紙と同一サイズの記録紙が存在しない場合は、当該サイズに最も近いサイズの記録紙が選定されるため、ユーザが所望するサイズにより近い記録紙に原稿画像を印刷させることができる。
【００５９】
なお、図４に示すステップＳ１２において、表示制御部２６は、表示部１３に表示される図７に示す操作画像中に、記録紙選定部２５がステップＳ１０で選定した記録紙のサイズを表示してもよい。これによりユーザは、最適サイズモードを選定した場合に、原稿画像が印刷される記録紙のサイズを知ることが可能となり、動作モードを選択する際に参考となる情報が増える結果、動作モードの選択が容易なものとなる。
【００６０】
また、上記実施形態では、動作モードを設定するための操作画面は、最適サイズモード、原稿同一サイズモード、倍率変動モード、及びマニュアルモードの各々に対するボタンが表示されていたが、これに限定されず、倍率変動モード及びマニュアルモードに対するボタンを省略してもよい。
【００６１】
また、原稿同一サイズモード、或いはマニュアルモードが設定されている場合において、表示制御部２６は、記録紙選定部２５により選定された記録紙に原稿サイズ変更部２３によりサイズが変更された原稿画像を印刷した状態を印刷前にユーザに提示するプレビュー画像を生成して表示部１３に表示させ、ユーザから印刷を許可する操作指令が入力されたときに、原稿画像を記録紙に印刷するようにしても良い。これにより、ユーザが所望する画像が記録紙に印刷されないようなコピーミスを減少させることができる。
【図面の簡単な説明】
【００６２】
【図１】本実施形態による画像形成装置の機械的構成を主に示す側面概略図である。
【図２】図１に示す画像形成装置の電気的構成を示すブロック図である。
【図３】本画像形成装置の動作を説明するためのフローチャートである。
【図４】本画像形成装置の動作を説明するためのフローチャートである。
【図５】本画像形成装置の動作を説明するためのフローチャートである。
【図６】ユーザが動作モードを指定する際に表示制御部２６が表示部１３に表示する操作画像の一例を示した図面である。
【図７】操作画像の一例を示した図面である。
【符号の説明】
【００６３】
１１  原稿画像取得部
１２  操作画像記憶部
１３  表示部
１４  操作部
１５  印刷部
２０  制御部
２１  モード設定部
２２  倍率設定部
２３  原稿サイズ変更部
２４  原稿サイズ検出部
２５  記録紙選定部
２６  表示制御部
２７  印刷制御部
２１２  残量検出センサ
６０６  ６０７  原稿検出センサ
【図１】
2006071745.tif 000003
【図２】
2006071745.tif 000004
【図３】
2006071745.tif 000005
【図４】
2006071745.tif 000006
【図５】
2006071745.tif 000007
【図６】
2006071745.tif 000008
【図７】
2006071745.tif 000009